(57)【要約】【課題】コネクタの製造工程の工数を削減する。【解決手段】コネクタハウジング１２に取り付けられたリテーナ１３は、治具３１の有する第１突部３２の先端部５５に当接することによりリテーナ１３を本係止位置から仮係止位置に移動させる第１当接部３０と、治具３１の有する第２突部４６と当接することによりリテーナ１３を仮係止位置から本係止位置へ移動させる第２当接部５１と、を備えている。【選択図】図１６
2019091560.tif 000002
【特許請求の範囲】
【請求項１】
端子と、
挿入方向に沿って前記端子が挿入されるキャビティを有するコネクタハウジングと、
前記コネクタハウジングに取り付けられて、前記キャビティから退避することにより前記端子を前記キャビティ内に挿入可能な仮係止位置と、前記キャビティ内に突出することにより前記キャビティ内に挿入された前記端子を抜け止め状態に係止する本係止位置と、の間を移動可能なリテーナと、を備えたコネクタであって、
前記リテーナは、治具の有する第１突部の先端部に当接することにより前記リテーナを前記本係止位置から前記仮係止位置に移動させる第１当接部と、前記治具の有する第２突部と当接することにより前記リテーナを前記仮係止位置から前記本係止位置へ移動させる第２当接部と、を備えたコネクタ。
【請求項２】
前記コネクタハウジングは、前記リテーナが取り付けられるリテーナ収容凹部を有しており、
前記コネクタハウジングは、前記挿入方向について前方に位置する前端部に、前記第１突部を受け入れる受け入れ凹部を有しており、
前記受け入れ凹部は前記リテーナ収容凹部と連通している、請求項１に記載のコネクタ。
【請求項３】
前記コネクタハウジングは、前記挿入方向について後方に位置する後端部に、前記挿入方向と交差する方向について外方に突出するエンドリブを有しており、前記エンドリブは前記第２突部との干渉を避ける第２突部回避凹部を有する、請求項１または請求項２に記載のコネクタ。
【請求項４】
前記治具には前記挿入方向に沿って延びるガイドリブが設けられており、前記エンドリブは前記ガイドリブと係合するガイド溝を有する、請求項３に記載のコネクタ。
【請求項５】
前記リテーナには、前記リテーナが前記仮係止位置に移動した状態で、前記ガイドリブとの干渉を回避するためのガイドリブ回避凹部が設けられている、請求項４に記載のコネクタ。
【請求項６】
前記リテーナが前記仮係止位置に移動した状態で、前記ガイドリブ回避凹部の底面は、前記コネクタハウジングの外面と面一に形成されている、請求項５に記載のコネクタ。
【請求項７】
挿入方向に沿って端子が挿入されるキャビティを有するコネクタハウジングに取り付けられたリテーナを、前記キャビティから退避することにより前記端子を前記キャビティ内に挿入可能な仮係止位置と、前記キャビティ内に突出することにより前記キャビティ内に挿入された前記端子を抜け止め状態に係止する本係止位置と、の間を移動させる治具であって、
前記挿入方向に沿って延びると共に前記コネクタハウジングを収容するコネクタ収容凹部と、
前記コネクタ収容凹部の前記挿入方向の前端部には、前記挿入方向の後方に延びると共に、前記リテーナに当接して前記リテーナを前記本係止位置から前記仮係止位置に移動させる第１突部が設けられており、
前記コネクタ収容凹部の側壁には、前記挿入方向の後端部に、前記コネクタ収容凹部の内方に突出すると共に、前記リテーナに当接して前記リテーナを前記仮係止位置から前記本係止位置に移動させる第２突部が設けられている、治具。
【請求項８】
前記第１突部は、前記挿入方向の前側の基部と、前記基部から前記挿入方向の後方に延びると共に前記基部よりも幅狭な先端部と、を有し、
前記基部と前記先端部との間に、前記挿入方向について傾斜する傾斜部を有し、
前記傾斜部が前記リテーナに当接するようになっている、請求項７に記載の治具。
【請求項９】
前記コネクタ収容凹部の側壁には、前記挿入方向に沿って延びると共に、前記コネクタハウジングと摺接することにより前記コネクタハウジングを前記コネクタ収容凹部に内に案内するガイドリブが設けられている、請求項７または請求項８に記載の治具。
【請求項１０】
前記第２突部は、前記コネクタ収容凹部の内面から、前記挿入方向の後方に突出した位置に設けられている、請求項７から請求項９のいずれか一項に記載された、治具。
【請求項１１】
端子と、
挿入方向に沿って前記端子が挿入されるキャビティを有するコネクタハウジングと、
前記コネクタハウジングに取り付けられて、前記キャビティから退避することにより前記端子を前記キャビティ内に挿入可能な仮係止位置と、前記キャビティ内に突出することにより前記キャビティ内に挿入された前記端子を抜け止め状態に係止する本係止位置と、の間を移動可能なリテーナと、を備えたコネクタの製造方法であって、
前記コネクタハウジングに、前記リテーナを取り付ける工程と、
前記リテーナが取り付けられた状態の前記コネクタハウジングを、治具に設けられたコネクタ収容凹部内に挿入することにより、前記コネクタ収容凹部の前記挿入方向の前端部に前記挿入方向の後方に延びて設けられた第１突部と、前記リテーナとを当接させて、前記リテーナを前記仮係止位置に移動させる工程と、
前記端子を前記挿入方向に沿って前記キャビティ内に挿入する工程と、
前記リテーナと前記端子と取り付けられた状態の前記コネクタハウジングを、前記コネクタ収容凹部から引き抜くことにより、前記コネクタ収容凹部の側壁のうち前記挿入方向の後端部に前記コネクタ収容凹部の内方に突出して設けられた第２突部と、前記リテーナとを当接させて、前記リテーナを前記仮係止位置から前記本係止位置に移動させる工程と、
を含むコネクタの製造方法。
【発明の詳細な説明】
【技術分野】
【０００１】
本明細書に開示された技術は、治具によってリテーナを仮係止位置と本係止位置とに移動可能なコネクタに関する。
【背景技術】
【０００２】
従来、コネクタハウジングに取り付けられたリテーナを、治具を用いて、仮係止位置から本係止位置に移動させる技術が、例えば特許文献１に記載されている。上記の治具には、コネクタハウジングをスライド移動可能な移動経路が形成されている。移動経路には、コネクタハウジングが移動経路内をスライド移動する際に、コネクタハウジングに仮係止されたリテーナに当接して、このリテーナを本係位置に移動させるための押圧部材が配置されている。
【０００３】
上記の技術によれば、コネクタハウジングを移動経路内に押し込み、この移動経路内でスライド移動させることにより、押圧部材がリテーナに当接して、このリテーナを本係止位置に移動させるようになっている。これにより、作業者がリテーナを手指によって直接に操作しなくてもよいので、作業者の負担が軽減される。
【先行技術文献】
【特許文献】
【０００４】
【特許文献１】実開平６−２９０８２号公報
【発明の概要】
【発明が解決しようとする課題】
【０００５】
しかし、上記の構成によっても、リテーナを仮係止位置から本係止位置に移動させるためにコネクタを治具に押し込む工程を作業者が行う必要があるので、コネクタの製造工程の工数を削減することはできない。このため、コネクタの製造工程の工数を削減することが望まれていた。
【０００６】
本明細書に開示された技術は上記のような事情に基づいて完成されたものであって、コネクタの製造工程の工数を削減することを目的とする。
【課題を解決するための手段】
【０００７】
本明細書に開示された技術は、端子と、挿入方向に沿って前記端子が挿入されるキャビティを有するコネクタハウジングと、前記コネクタハウジングに取り付けられて、前記キャビティから退避することにより前記端子を前記キャビティ内に挿入可能な仮係止位置と、前記キャビティ内に突出することにより前記キャビティ内に挿入された前記端子を抜け止め状態に係止する本係止位置と、の間を移動可能なリテーナと、を備えたコネクタであって、前記リテーナは、治具の有する第１突部の先端部に当接することにより前記リテーナを前記本係止位置から前記仮係止位置に移動させる第１当接部と、前記治具の有する第２突部と当接することにより前記リテーナを前記仮係止位置から前記本係止位置へ移動させる第２当接部と、を備える。
【０００８】
本明細書に開示された技術は、挿入方向に沿って端子が挿入されるキャビティを有するコネクタハウジングに取り付けられたリテーナを、前記キャビティから退避することにより前記端子を前記キャビティ内に挿入可能な仮係止位置と、前記キャビティ内に突出することにより前記キャビティ内に挿入された前記端子を抜け止め状態に係止する本係止位置と、の間を移動させる治具であって、前記挿入方向に沿って延びると共に前記コネクタハウジングを収容するコネクタ収容凹部と、前記コネクタ収容凹部の前記挿入方向の前端部には、前記挿入方向の後方に延びると共に、前記リテーナに当接して前記リテーナを前記本係止位置から前記仮係止位置に移動させる第１突部が設けられており、前記コネクタ収容凹部の側壁には、前記挿入方向の後端部に、前記コネクタ収容凹部の内方に突出すると共に、前記リテーナに当接して前記リテーナを前記仮係止位置から前記本係止位置に移動させる第２突部が設けられている。
【０００９】
本明細書に開示された技術は、端子と、挿入方向に沿って前記端子が挿入されるキャビティを有するコネクタハウジングと、前記コネクタハウジングに取り付けられて、前記キャビティから退避することにより前記端子を前記キャビティ内に挿入可能な仮係止位置と、前記キャビティ内に突出することにより前記キャビティ内に挿入された前記端子を抜け止め状態に係止する本係止位置と、の間を移動可能なリテーナと、を備えたコネクタの製造方法であって、前記コネクタハウジングに、前記リテーナを取り付ける工程と、前記リテーナが取り付けられた状態の前記コネクタハウジングを、治具に設けられたコネクタ収容凹部内に挿入することにより、前記コネクタ収容凹部の前記挿入方向の前端部に前記挿入方向の後方に延びて設けられた第１突部と、前記リテーナとを当接させて、前記リテーナを前記仮係止位置に移動させる工程と、前記端子を前記挿入方向に沿って前記キャビティ内に挿入する工程と、前記リテーナと前記端子と取り付けられた状態の前記コネクタハウジングを、前記コネクタ収容凹部から引き抜くことにより、前記コネクタ収容凹部の側壁のうち前記挿入方向の後端部に前記コネクタ収容凹部の内方に突出して設けられた第２突部と、前記リテーナとを当接させて、前記リテーナを前記仮係止位置から前記本係止位置に移動させる工程と、を含む。
【００１０】
上記の構成によれば、リテーナを組み付けたコネクタハウジングを治具に取り付けることによりリテーナを仮係止位置に移動させることができる。そして、コネクタハウジングを治具から取り外すことにより、リテーナを本係止位置に移動させることができる。これにより、リテーナを仮係止位置から本係止位置に移動させる際に、作業者が手指でリテーナを操作する工程が不要となるので、コネクタの製造工程の工数を削減することができる。
【００１１】
本明細書に開示された技術の実施態様としては以下の態様が好ましい。
【００１２】
前記コネクタハウジングは、前記リテーナが取り付けられるリテーナ収容凹部を有しており、前記コネクタハウジングは、前記挿入方向について前方に位置する前端部に、前記第１突部を受け入れる受け入れ凹部を有しており、前記受け入れ凹部は前記リテーナ収容凹部と連通していることが好ましい。
【００１３】
上記の構成によれば、治具の第１突部が受け入れ凹部内に挿入されると、第１突部はリテーナ収容凹部内へも挿入されるようになっている。これにより、治具の第１当接部を受け入れ凹部に挿入するという簡易な操作により、リテーナ収容凹部内に収容されたリテーナの第１当接部と当接させることができる。
【００１４】
前記コネクタハウジングは、前記挿入方向について後方に位置する後端部に、前記挿入方向と交差する方向について外方に突出するエンドリブを有しており、前記エンドリブは前記第２突部との干渉を避ける第２突部回避凹部を有することが好ましい。
【００１５】
上記の構成によれば、コネクタハウジングを治具のコネクタ収容凹部内に挿入する際、及び、コネクタハウジングを治具のコネクタ収容凹部から引き抜く際に、コネクタハウジングのエンドリブと、治具の第２突部とが干渉することを抑制することができる。
【００１６】
前記治具には前記挿入方向に沿って延びるガイドリブが設けられており、前記エンドリブは前記ガイドリブと係合するガイド溝を有することが好ましい。
【００１７】
上記の構成によれば、ガイドリブとガイド溝とが係合することにより、コネクタハウジングは挿入方向に沿ってコネクタ収容凹部内に案内される。
【００１８】
前記リテーナには、前記リテーナが前記仮係止位置に移動した状態で、前記ガイドリブとの干渉を回避するためのガイドリブ回避凹部が設けられていることが好ましい。
【００１９】
上記の構成によれば、リテーナが仮係止位置に移動した状態で、リテーナと、治具のガイドリブとが干渉することを抑制することができる。
【００２０】
前記リテーナが前記仮係止位置に移動した状態で、前記ガイドリブ回避凹部の底面は、前記コネクタハウジングの外面と面一に形成されていることが好ましい。
【００２１】
上記の構成によれば、リテーナが仮係止位置に移動した状態で、リテーナと治具のガイドリブとが干渉することを確実に抑制することができる。
【００２２】
前記第１突部は、前記挿入方向の前側の基部と、前記基部から前記挿入方向の後方に延びると共に前記基部よりも幅狭な先端部と、を有し、前記基部と前記先端部との間に、前記挿入方向について傾斜する傾斜部を有し、前記傾斜部が前記リテーナに当接するようになっていることが好ましい。
【００２３】
上記の構成によれば、傾斜部とリテーナとが当接することにより、リテーナを仮係止位置に確実に移動させることができる。
【００２４】
前記コネクタ収容凹部の側壁には、前記挿入方向に沿って延びると共に、前記コネクタハウジングと摺接することにより前記コネクタハウジングを前記コネクタ収容凹部に内に案内するガイドリブが設けられていることが好ましい。
【００２５】
上記の構成によれば、コネクタハウジングを、コネクタ収容凹部内に、挿入方向に沿って確実に挿入することができる。
【００２６】
前記第２突部は、前記コネクタ収容凹部の開口部から、前記挿入方向の後方に突出した位置に設けられていることが好ましい。
【００２７】
上記の構成によれば、第２突部は、コネクタ収容凹部の内面から、挿入方向の後方に突出した位置に設けられている。これにより、第２突部と、リテーナとを確実に当接させることができる。
【発明の効果】
【００２８】
本明細書に開示された技術によれば、コネクタの製造工数を削減することができる。
【図面の簡単な説明】
【００２９】
【図１】実施形態１に係るコネクタを示す斜視図
【図２】リテーナが本係止位置に取り付けられたコネクタを示す正面図
【図３】リテーナが本係止位置に取り付けられたコネクタを示す背面図
【図４】リテーナが本係止位置に取り付けられたコネクタを示す底面図
【図５】リテーナが仮係止位置に取り付けられたコネクタを示す正面図
【図６】リテーナが仮係止位置に取り付けられたコネクタを示す背面図
【図７】リテーナを示す斜視図
【図８】リテーナを示す正面図
【図９】リテーナを示す背面図
【図１０】リテーナの係止受け部がコネクタハウジングの本係止部に係止した状態を示す断面図
【図１１】リテーナの係止受け部がコネクタハウジングの仮係止部に係止した状態を示す断面図
【図１２】治具を示す正面図
【図１３】治具の第１突部を示す断面図
【図１４】治具のガイドリブを示す断面図
【図１５】治具の第２突部を示す
【図１６】コネクタ収容凹部内に、リテーナが本係止位置に取り付けられたコネクタハウジングを挿入する工程を示す断面図
【図１７】コネクタ収容凹部内に、リテーナが本係止位置に取り付けられたコネクタハウジングを挿入する工程であって、図１６とは異なる断面を示す断面図
【図１８】コネクタ収容凹部内にコネクタハウジングが収容されて、リテーナが仮係止位置に移動した状態を示す断面図
【図１９】コネクタハウジングに雌端子が挿入された状態を示す断面図
【図２０】コネクタハウジングに雌端子が挿入された状態であって、図１９とは異なる断面を示す断面図
【図２１】コネクタハウジングをコネクタ収容凹部から引き抜く工程を示す断面図
【図２２】コネクタ収容凹部からコネクタが引き抜かれた状態を示す断面図
【発明を実施するための形態】
【００３０】
＜実施形態１＞
本明細書に開示された技術の実施形態１を、図１ないし図２２を参照しつつ説明する。本実施形態に係るコネクタ１０は、雌端子１１（端子の一例）と、雌端子１１を収容するコネクタハウジング１２と、コネクタハウジング１２に取り付けられて本係止位置と仮係止位置との間を移動可能なリテーナ１３と、を有する。以下の説明においは、Ｚ方向を上方とし、Ｙ方向を前方とし、Ｘ方向を左方として説明する。また、同一形状をなす複数の部材については、一部の部材にのみ符号を付し、他の部材については符号を省略する場合がある。
【００３１】
（コネクタ１０）
図１に示すように、コネクタハウジング１２は、絶縁性の合成樹脂からなり、略直方体形状をなしている。コネクタハウジング１２には、複数のキャビティ１４が前後方向に延びて形成されている。複数のキャビティ１４は、左右方向について間隔を空けて並ぶと共に、上下方向について間隔を空けて２段に並んで形成されている。キャビティ１４の前壁１５には、図示しない雄端子が挿入される挿入孔１６が前後方向に貫通されている。キャビティ１４の後端部には、後方に開口する端子挿入孔１７が形成されている。
【００３２】
図２に示すように、下段に設けられた各キャビティ１４Ｂと、上段に設けられた各キャビティ１４Ａとは、上下方向については並んで形成されていない。換言すると、下段の各キャビティ１４Ｂと、上段の各キャビティ１４Ａとは、それぞれ、左右方向にずれた千鳥状に配置されている。以下の説明において、下段のキャビティ１４Ｂと上段のキャビティ１４Ａとを区別しない場合には、キャビティ１４として説明する。
【００３３】
図１９に示すように、キャビティ１４内には、雌端子１１が端子挿入孔１７から挿入されるようになっている。雌端子１１は、金属板材をプレス加工することにより形成される。雌端子１１を構成する金属としては、銅、銅合金、アルミニウム、アルミニウム合金等必要に応じて任意の金属を適宜に選択できる。雌端子１１の表面にはメッキ層が形成されていてもよい。メッキ層を構成する金属としては、スズ、ニッケル、銀等、必要に応じて任意の金属を適宜に選択できる。本実施形態に係る雌端子１１には、スズメッキ層が形成されている。
【００３４】
雌端子１１は、雄端子が前方から挿入される接続筒部１８と、接続筒部１８から後方に延びるワイヤーバレル１９と、ワイヤーバレル１９から後方に延びるインシュレーションバレル２０と、を備える。
【００３５】
接続筒部１８には、雄端子と弾性的に接触する舌片（図示せず）が設けられている。雄端子が舌片と接続筒部１８の内壁との間に弾性的に挟持されることにより、雌端子１１と雄端子とが電気的に接続されるようになっている。
【００３６】
ワイヤーバレル１９は、電線２１の端末から露出した芯線２２の外周に巻き付くように圧着されている。これにより、電線２１と雌端子１１とが電気的に接続されるようになっている。インシュレーションバレル２０は、芯線２２の外周を覆う絶縁被覆２３の外周に、巻き付くように圧着されている。
【００３７】
図４に示すように、コネクタハウジング１２には、下方に開口すると共にリテーナ１３が下方から組み付けられるリテーナ収容凹部２４が設けられている。リテーナ収容凹部２４は、キャビティ１４に連通している。
【００３８】
図７から図９に示すように、リテーナ１３は、絶縁性の合成樹脂からなり、左右方向に細長く延びたリテーナ本体２５と、リテーナ本体２５の左右両端部から後方に延びた２つの延出部２６と、を備える。リテーナ本体２５には、前後方向に延びる複数のリテーナ側キャビティ２７が、左右方向に間隔を空けて並んで形成されている。リテーナ側キャビティ２７は、前後方向についてリテーナ本体２５を貫通している。リテーナ側キャビティ２７の断面形状は、前後方向から見て略長方形状をなしている。
【００３９】
リテーナ本体２５の上面には、前後方向に延びる複数の溝部２８が、左右方向に並ぶと共に下方に陥没して形成されている。溝部２８の断面形状は略Ｕ字形状をなしている。溝部２８は、リテーナ１３がコネクタハウジング１２のリテーナ収容凹部２４内に取り付けられた状態で、コネクタハウジング１２に設けられた上段の各キャビティ１４に対応する位置に設けられている。溝部２８の底面は、前後方向について前端から略三分の一の領域が、後端から略三分の二の領域よりも、一段高く形成されている。上記した、前端から略三分の一の領域と、後端から略三分の二の領域との間には、前後方向に傾斜した傾斜面２９が形成されている。
【００４０】
リテーナ本体２５の前端部であって、上縁部の左右両角部は面取りされており、前後方向について傾斜する第１当接部３０が形成されている。この第１当接部３０は前下がり形状に形成されている。この第１当接部３０に、後述する治具３１の第１突部３２が前方から当接するようになっている。
【００４１】
延出部２６の上下方向の高さ寸法は、リテーナ本体２５の高さ寸法と同じに設定されている。延出部２６の後方への突出寸法は、リテーナ本体２５の前後方向の長さ寸法よりもやや小さく設定されている。延出部２６は、左右方向の肉厚が比較的に薄い板状に形成されている。
【００４２】
延出部２６の上端縁には、左右方向の内方に突出する係止受け部３３が形成されている。係止受け部３３の上面は、左右方向について内方に下降傾斜するように形成されている。延出部２６の上部は、下部に比べて左右方向の厚さ寸法が小さく形成されている。これにより、延出部２６の上部は左右方向について弾性変形可能になっている。
【００４３】
リテーナ１３の下面には、左右方向の中央位置付近が、他の部分よりも上方に凹んだガイドリブ回避凹部３４が形成されている。ガイドリブ回避凹部３４は前後方向に延びて形成されている。
【００４４】
コネクタハウジング１２の上面には、コネクタハウジング１２の前端部から後方に延びるロックアーム３５が弾性変形可能に形成されている。ロックアーム３５の上面には、図示しない相手側コネクタと係合するロック部３６が上方に突出して形成されている。ロックアーム３５の後端部は作業者が指を掛けるための把持部３７が、左右方向に延びて形成されている。コネクタハウジング１２の上面には、後端部寄りの位置に、把持部３７の左右方向、及び前方を囲むように、保護リブ３８が上方に突出して形成されている。図１に示すように、保護リブ３８の、コネクタハウジング１２の上面からの突出高さは、ロックアーム３５の把持部３７よりも高く設定されている。
【００４５】
コネクタハウジング１２の前端部には、左右両端部寄りの位置に、前方に開口する受け入れ孔部３９（受け入れ凹部の一例）が形成されている。受け入れ孔部３９の断面形状は略長方形状をなしている。受け入れ孔部３９には、後述する治具３１に設けられた第１突部３２が、前方から挿入されるようになっている。受け入れ孔部３９はリテーナ収容凹部２４に連通している。図２に示すように、リテーナ１３がコネクタハウジング１２に対して本係止位置に保持された状態で、上記した第１当接部３０が受け入れ孔部３９に臨むようになっている。
【００４６】
図１０及び図１１に示すように、リテーナ収容凹部２４の内壁面には、左右方向について外方に突出する本係止部４０と、この本係止部４０の下方に位置して、左右方向について外方に突出する仮係止部４１と、が設けられている。
【００４７】
図１０に示すように、リテーナ１３が、コネクタハウジング１２のリテーナ収容凹部２４内に取り付けられた状態で、リテーナ１３の係止受け部３３がコネクタハウジング１２の本係止部４０に弾性的に係止することにより、リテーナ１３がコネクタハウジング１２に対して本係止位置に保持された状態となる。
【００４８】
リテーナ１３がコネクタハウジング１２に対して本係止位置に保持された状態においては、リテーナ１３は、上段及び下段の各キャビティ１４Ａ，１４Ｂ内に突出するようになっている。この状態で、リテーナ１３が、各キャビティ１４Ａ，１４Ｂ内に収容された雌端子１１の接続筒部１８の後端部に後方から当接することにより、雌端子１１が後方に抜け止めされる。
【００４９】
図１１に示すように、リテーナ１３が、コネクタハウジング１２のリテーナ収容凹部２４内に取り付けられた状態で、リテーナ１３の係止受け部３３がコネクタハウジング１２の仮係止部４１に弾性的に係止することにより、リテーナ１３がコネクタハウジング１２に対して仮係止位置に保持された状態となる。
【００５０】
リテーナ１３がコネクタハウジング１２に対して仮係止位置に保持された状態では、リテーナ１３は、上段及び下段のキャビティ１４Ａ，１４Ｂから退避している。これにより、リテーナ１３がコネクタハウジング１２に対して仮係止位置に保持された状態においては、雌端子１１を各キャビティ１４Ａ，１４Ｂの端子挿入孔１７から挿入することができる。
【００５１】
図２及び図３に示すように、リテーナ１３がコネクタハウジング１２に対して本係止位置に保持された状態では、リテーナ１３の下面は、コネクタハウジング１２の下面よりも上方に位置しているか、又は、コネクタハウジング１２の下面と面一になるように設定されている。換言すると、リテーナ１３がコネクタハウジング１２に対して本係止位置に保持された状態では、リテーナ１３の下面は、コネクタハウジング１２の下面から下方に突出しないようになっている。
【００５２】
図５及び図６に示すように、リテーナ１３がコネクタハウジング１２に対して仮係止位置に保持された状態では、リテーナ１３の下面のうち、ガイドリブ回避凹部３４と異なる部分は、コネクタハウジング１２の下面よりも下方に突出するようになっている。この状態において、ガイドリブ回避凹部３４の底面４２は、コネクタハウジング１２の下面と面一に設定されているか、又は、コネクタハウジング１２の下面よりも上方に位置するようになっている。本実施形態では、リテーナ１３がコネクタハウジング１２に対して仮係止位置に保持された状態で、ガイドリブ回避凹部３４の底面４２は、コネクタハウジング１２の下面と面一に設定されている。
【００５３】
コネクタハウジング１２の後端部には、前後方向と直交する方向に突出するエンドリブ４３が設けられている。エンドリブ４３は、コネクタハウジング１２の左後端部、右後端部、下後端部に設けられている。また、エンドリブ４３は、コネクタハウジング１２の上後端部のうち、左右両端部にそれぞれ設けられている。
【００５４】
エンドリブ４３のうち、コネクタハウジング１２の下面に設けられた下側エンドリブ４３Ａには、左右方向の中央付近に、後述する治具３１のガイドリブ４４と係合するガイド溝４５が上方に凹んで形成されている。
【００５５】
エンドリブ４３のうち、左右両端部からやや内方の位置には、後述する治具３１に設けられた第２突部４６との干渉を回避するための第２突部回避凹部４７が上方に凹んで設けられている。
【００５６】
（治具３１）
図１２から図１５に示すように、治具３１は、絶縁性の合成樹脂からなる治具本体４８と、治具本体４８に埋設された金属製の第１突部３２と、を有する。
【００５７】
治具本体４８は、略長方形状に開口するコネクタ収容凹部４９を有する。コネクタ収容凹部４９には、挿入方向Ａに沿って、リテーナ１３が組み付けられた状態のコネクタハウジング１２が挿入されるようになっている。コネクタ収容凹部４９は挿入方向Ａに沿って延びて形成されている。
【００５８】
コネクタ収容凹部４９の上方には、コネクタハウジング１２の保護リブ３８との干渉を回避するための保護リブ回避凹部５６が、挿入方向Ａの前方に凹んで設けられている。
【００５９】
治具本体４８の前面には、コネクタ収容凹部４９の下方の位置に、挿入方向Ａの後方に突出する突出台部５０が形成されている。突出台部５０の上面は、コネクタ収容凹部４９の底面と連続している。突出台部５０の上面には、左右方向の端部寄りの位置に、上方に突出する第２突部４６が形成されている。第２突部４６は、突出台部５０の後端部に設けられている。第２突部４６の上面は、挿入方向Ａの前方に向かうに従って下降傾斜している。リテーナ１３の下面のうち、第２突部４６と当接する部分は、第２当接部５１とされる。
【００６０】
突出台部５０の上面には、左右方向の中央付近に、上方に突出すると共に挿入方向Ａの前後方向に沿って延びるガイドリブ４４が設けられている。
【００６１】
治具本体４８の前面には、コネクタ収容凹部４９の左右方向の外側に、それぞれ、作業凹部５２が凹んで形成されている。この作業凹部５２により、コネクタ収容凹部４９内に、リテーナ１３が取り付けられた状態のコネクタハウジング１２を挿入する際に、作業者がコネクタハウジング１２を把持しやすくなるようになっている。作業凹部５２は、後方から見て、長方形状に形成されている。
【００６２】
コネクタ収容凹部４９の、挿入方向Ａの前側に位置する前壁には、左右方向の両端部寄りの位置に、それぞれ、挿入方向Ａの後方に突出する第１突部３２が設けられている。第１突部３２は金属製であって、治具本体４８と一体に形成されている。第１突部３２のうち挿入方向Ａの前端部は、治具本体４８に埋設されている。
【００６３】
第１突部３２は、挿入方向Ａに沿って延びるタブ状をなしている。第１突部３２は、コネクタ収容凹部４９の前壁から挿入方向Ａの後方に延びる基部５３と、基部５３に連なって挿入方向Ａの後方に向かうに従って下面が上昇傾斜している傾斜部５４と、傾斜部５４に連なって挿入方向Ａの後方に延びる先端部５５と、を有する。第１突部３２の先端部５５は、治具本体４８の前面よりも、挿入方向Ａについてわずかに後方に突出している。
【００６４】
（コネクタ１０の製造方法の一例）
続いて、コネクタ１０の製造方法の一例について説明する。なお、コネクタ１０の製造方法は、以下の説明に限定されない。
【００６５】
金属板材をプレス加工して雌端子１１を所定の形状に形成する。電線２１の端部の絶縁被覆２３を皮剥ぎして芯線２２を露出させる。芯線２２にワイヤーバレル１９を圧着すると共に、絶縁被覆２３にインシュレーションバレル２０を圧着する。
【００６６】
合成樹脂を射出成型することによりコネクタハウジング１２、及びリテーナ１３を形成する。コネクタハウジング１２のリテーナ収容凹部２４内に、下方からリテーナ１３を取り付ける。これにより、リテーナ１３はリテーナ収容凹部２４内に嵌入した状態になる。リテーナ１３の係止受け部３３と、コネクタハウジング１２の本係止部４０とを弾性的に係合させる。これにより、リテーナ１３をコネクタハウジング１２に対して本係止位置に保持させる。
【００６７】
金属製の第１突部３２を合成樹脂と共にインサート成型することにより、治具３１を所定の形状に形成する。
【００６８】
図１６及び図１７に示すように、治具３１のコネクタ収容凹部４９内に、挿入方向Ａの後方から、リテーナ１３が本係止位置に取り付けられた状態のコネクタハウジング１２を挿入する。このとき、突出台部５０の上面と、コネクタハウジング１２の下面とを摺接させることにより、コネクタハウジング１２がコネクタ収容凹部４９内に案内されるようになっている。また、エンドリブ４３のガイド溝４５が、治具３１のガイドリブ４４と係合することにより、コネクタハウジング１２がコネクタ収容凹部４９内において、挿入方向Ａに沿って移動するようになっている。
【００６９】
コネクタハウジング１２を挿入方向Ａの前方に押し込むと、第１突部３２の先端部５５が、コネクタハウジング１２の受け入れ孔部３９内に、挿入方向Ａの前方から挿入される。更にコネクタハウジング１２を前方に押し込むと、第１突部３２の先端部５５は、リテーナ１３の上面と摺接する。
【００７０】
更にコネクタハウジング１２を前方に押し込むと、第１突部３２の傾斜部５４の下面が、リテーナ１３の第１当接部３０に、挿入方向Ａの前方から当接する。すると、第１突部３２の傾斜部５４の下面がリテーナ１３の第１当接部３０を下方に向けて押圧する。リテーナ１３が下方に押圧されることにより、リテーナ１３の係止受け部３３は弾性変形し、コネクタハウジング１２の本係止部４０の上に乗り上げる。
【００７１】
更にコネクタハウジング１２を前方に押し込むと、リテーナ１３が更に下方に移動してリテーナ１３の係止受け部３３が復帰変形し、コネクタハウジング１２の仮係止部４１に弾性的に係止する。これにより、リテーナ１３はコネクタハウジング１２に対して仮係止位置に保持される（図１８参照）。
【００７２】
リテーナ１３が仮係止位置に保持された状態で、リテーナ１３のガイドリブ回避凹部３４の底面４２は、コネクタハウジング１２の下面と面一になっているので、リテーナ１３とガイドリブ４４とが干渉することが回避されている。また、この状態では、リテーナ１３の第２当接部５１は、コネクタハウジング１２の下面から下方に突出している。
【００７３】
コネクタ収容凹部４９の底面と、天井面との間に挟まれることにより、コネクタハウジング１２は、治具３１に対して、上下方向について位置決めされるようになっている。また、ガイドリブ４４とガイド溝４５とが係合することにより、コネクタハウジング１２は、治具３１に対して、左右方向について位置決めされるようになっている。
【００７４】
続いて、図１９及び図２０に示すように、雌端子１１を、コネクタハウジング１２のキャビティ１４内に、コネクタハウジング１２の挿入方向Ａの後方から挿入する。リテーナ１３が仮係止位置に保持された状態で、リテーナ１３はコネクタハウジング１２のキャビティ１４から退避しているので、リテーナ１３が雌端子１１と干渉しないようになっている。雌端子１１の接続筒部１８の前端部が、キャビティ１４の前壁１５に当接するまで、雌端子１１を押し込む。これにより、雌端子１１がコネクタハウジング１２に対して正規位置に配される。
【００７５】
雌端子１１がキャビティ１４内に挿入された後、作業者は、指を作業凹部５２内に入れて、コネクタハウジング１２のエンドリブ４３を左右から把持する。次いで、コネクタハウジング１２を、後方に引き抜く。すると、治具３１のガイドリブ４４とコネクタハウジング１２のガイド溝４５とが摺接することにより、コネクタハウジング１２が挿入方向Ａに沿って後方に移動するようになっている。
【００７６】
更にコネクタハウジング１２を後方に引き抜くと、図２１に示すように、リテーナ１３の第２当接部５１が、治具３１の第２突部４６に、挿入方向Ａの前方から当接する。これにより、リテーナ１３は、第２突部４６によって上方に押圧される。
【００７７】
更にコネクタハウジング１２を後方に引き抜くと、第２突出部によって上方に押圧されることにより、リテーナ１３が上方に移動し、リテーナ１３の係止受け部３３と仮係止部４１との係止が外れ、係止受け部３３が弾性変形して本係止部４０の上に乗り上げる。
【００７８】
更にコネクタハウジング１２を後方に引き抜くと、リテーナ１３が更に上方に移動し、係止受け部３３が復帰変形し、コネクタハウジング１２の本係止部４０と弾性的に係止する。これにより、リテーナ１３はコネクタハウジング１２に対して本係止位置に保持される。
【００７９】
リテーナ１３が本係止位置に保持された状態で、リテーナ１３は、コネクタハウジング１２のキャビティ１４内に突出するようになっている。これにより、リテーナ１３は、キャビティ１４内に収容された雌端子１１の接続筒部１８に、挿入方向Ａの後方から当接するようになっている。これにより、雌端子１１はキャビティ１４内において後方へ抜け止め状態で保持される。
【００８０】
上記したように、コネクタハウジング１２が治具３１から引き抜かれた状態で、リテーナ１３はコネクタハウジング１２に対して本係止位置に保持されており、このリテーナ１３により、雌端子１１はキャビティ１４内で後方へ抜け止め状態で保持されている（図２２参照）。これにより、コネクタ１０が完成する。
【００８１】
（本実施形態の作用、効果）
続いて、本実施形態の作用効果について説明する。本実施形態に係るコネクタ１０は、雌端子１１と、挿入方向Ａに沿って雌端子１１が挿入されるキャビティ１４を有するコネクタハウジング１２と、コネクタハウジング１２に取り付けられて、キャビティ１４から退避することにより雌端子１１をキャビティ１４内に挿入可能な仮係止位置と、キャビティ１４内に突出することによりキャビティ１４内に挿入された雌端子１１を抜け止め状態に係止する本係止位置と、の間を移動可能なリテーナ１３と、を備えたコネクタ１０であって、リテーナ１３は、治具３１の有する第１突部３２の先端部５５に当接することによりリテーナ１３を本係止位置から仮係止位置に移動させる第１当接部３０と、治具３１の有する第２突部４６と当接することによりリテーナ１３を仮係止位置から本係止位置へ移動させる第２当接部５１と、を備えている。
【００８２】
また、本実施形態に係る治具３１は、挿入方向Ａに沿って雌端子１１が挿入されるキャビティ１４を有するコネクタハウジング１２に取り付けられたリテーナ１３を、キャビティ１４から退避することにより雌端子１１をキャビティ１４内に挿入可能な仮係止位置と、キャビティ１４内に突出することによりキャビティ１４内に挿入された雌端子１１を抜け止め状態に係止する本係止位置と、の間を移動させる治具３１であって、挿入方向Ａに沿って延びると共にコネクタハウジング１２を収容するコネクタ収容凹部４９と、コネクタ収容凹部４９の挿入方向Ａの前端部には、挿入方向Ａの後方に延びると共に、リテーナ１３に当接してリテーナ１３を本係止位置から仮係止位置に移動させる第１突部３２が設けられており、コネクタ収容凹部４９の底壁には、挿入方向Ａの後端部に、コネクタ収容凹部４９の内方に突出すると共に、リテーナ１３に当接してリテーナ１３を仮係止位置から本係止位置に移動させる第２突部４６が設けられている。
【００８３】
また、本実施形態に係るコネクタ１０の製造方法は、雌端子１１と、挿入方向Ａに沿って雌端子１１が挿入されるキャビティ１４を有するコネクタハウジング１２と、コネクタハウジング１２に取り付けられて、キャビティ１４から退避することにより雌端子１１をキャビティ１４内に挿入可能な仮係止位置と、キャビティ１４内に突出することによりキャビティ１４内に挿入された雌端子１１を抜け止め状態に係止する本係止位置と、の間を移動可能なリテーナ１３と、を備えたコネクタ１０の製造方法であって、コネクタハウジング１２に、リテーナ１３を取り付ける工程と、リテーナ１３が取り付けられた状態のコネクタハウジング１２を、治具３１に設けられたコネクタ収容凹部４９内に挿入することにより、コネクタ収容凹部４９の挿入方向Ａの前端部に挿入方向Ａの後方に延びて設けられた第１突部３２と、リテーナ１３とを当接させて、リテーナ１３を仮係止位置に移動させる工程と、雌端子１１を挿入方向Ａに沿ってキャビティ１４内に挿入する工程と、リテーナ１３と端子と取り付けられた状態のコネクタハウジング１２を、コネクタ収容凹部４９から引き抜くことにより、コネクタ収容凹部４９の側壁のうち挿入方向Ａの後端部にコネクタ収容凹部４９の内方に突出して設けられた第２突部４６と、リテーナ１３とを当接させて、リテーナ１３を仮係止位置から本係止位置に移動させる工程と、を含む。
【００８４】
本実施形態によれば、リテーナ１３を組み付けたコネクタハウジング１２を治具３１に取り付けることによりリテーナ１３を仮係止位置に移動させることができる。そして、コネクタハウジング１２を治具３１から取り外すことにより、リテーナ１３を本係止位置に移動させることができる。これにより、リテーナ１３を仮係止位置から本係止位置に移動させる際に、作業者が手指でリテーナ１３を操作する工程が不要となるので、コネクタ１０の製造工程の工数を削減することができる。
【００８５】
本実施形態によれば、コネクタハウジング１２は、リテーナ１３が取り付けられるリテーナ収容凹部２４を有しており、コネクタハウジング１２は、挿入方向Ａについて前方に位置する前端部に、第１突部３２を受け入れる受け入れ孔部３９を有しており、受け入れ凹部はリテーナ収容凹部２４と連通している。
【００８６】
上記の構成により、治具３１の第１突部３２が受け入れ孔部３９内に挿入されると、第１突部３２はリテーナ収容凹部２４内へも挿入されるようになっている。これにより、治具３１の第１当接部３０を受け入れ孔部３９に挿入するという簡易な操作により、リテーナ収容凹部２４内に収容されたリテーナ１３の第１当接部３０と当接させることができる。
【００８７】
本実施形態によれば、コネクタハウジング１２は、挿入方向Ａについて後方に位置する後端部に、挿入方向Ａと交差する方向について外方に突出するエンドリブ４３を有しており、エンドリブ４３は第２突部４６との干渉を避ける第２突部回避凹部４７を有する。
【００８８】
上記の構成により、コネクタハウジング１２を治具３１のコネクタ収容凹部４９内に挿入する際、及び、コネクタハウジング１２を治具３１のコネクタ収容凹部４９から引き抜く際に、コネクタハウジング１２のエンドリブ４３と、治具３１の第２突部４６とが干渉することを抑制することができる。
【００８９】
本実施形態によれば、治具３１には挿入方向Ａに沿って延びるガイドリブ４４が設けられており、エンドリブ４３はガイドリブ４４と係合するガイド溝４５を有する。
【００９０】
上記の構成により、ガイドリブ４４とガイド溝４５とが係合することにより、コネクタハウジング１２は挿入方向Ａに沿ってコネクタ収容凹部４９内に案内される。
【００９１】
本実施形態によれば、リテーナ１３には、リテーナ１３が仮係止位置に移動した状態で、ガイドリブ４４との干渉を回避するためのガイドリブ回避凹部３４が設けられている。
【００９２】
上記の構成により、リテーナ１３が仮係止位置に移動した状態で、リテーナ１３と、治具３１のガイドリブ４４とが干渉することを抑制することができる。
【００９３】
本実施形態によれば、リテーナ１３が仮係止位置に移動した状態で、ガイドリブ回避凹部３４の底面４２は、コネクタハウジング１２の外面と面一に形成されている。
【００９４】
上記の構成により、リテーナ１３が仮係止位置に移動した状態で、リテーナ１３と治具３１のガイドリブ４４とが干渉することを確実に抑制することができる。
【００９５】
本実施形態によれば、第１突部３２は、挿入方向Ａの前側の基部５３と、基部５３から挿入方向Ａの後方に延びると共に基部５３よりも幅狭な先端部５５と、を有し、基部５３と先端部５５との間に、挿入方向Ａについて傾斜する傾斜部５４を有し、傾斜部５４がリテーナ１３に当接する。
【００９６】
上記の構成により、傾斜部５４とリテーナ１３とが当接することにより、リテーナ１３を仮係止位置に確実に移動させることができる。
【００９７】
本実施形態によれば、コネクタ収容凹部４９の側壁には、挿入方向Ａに沿って延びると共に、コネクタハウジング１２と摺接することによりコネクタハウジング１２をコネクタ収容凹部４９に内に案内するガイドリブ４４が設けられている。
【００９８】
上記の構成により、コネクタハウジング１２を、コネクタ収容凹部４９内に、挿入方向Ａに沿って確実に挿入することができる。
【００９９】
本実施形態によれば、第２突部４６は、コネクタ収容凹部４９の内面から、挿入方向Ａの後方に突出した位置に設けられている。これにより、第２突部４６と、リテーナ１３とを確実に当接させることができる。
【０１００】
＜他の実施形態＞
本明細書に開示された技術は上記記述及び図面によって説明した実施形態に限定されるものではなく、例えば次のような実施形態も本明細書に開示された技術の技術的範囲に含まれる。
【０１０１】
（１）本実施形態においては、端子は雌端子１１としたが、これに限られず、雄端子でもよい。
【０１０２】
（２）本実施形態においては、リテーナ１３はコネクタハウジング１２に対して下方から組み付けられる構成としたが、これに限られず、リテーナ１３は、コネクタハウジング１２に対して、下方からのみでなく、側方から組み付けてもよいし、上方から組み付けてもよい。
本実施形態においては、治具３１に設けられた第２突部４６は、コネクタ収容凹部４９の底面に設ける構成としたが、これに限られず、コネクタハウジング１２に取り付けられたリテーナ１３に対応する位置に設ければよく、例えば、コネクタ収容凹部４９の側壁や、上面に設ける構成としてもよい。
【０１０３】
（３）本実施形態においては、コネクタハウジング１２には受け入れ孔部３９が設けられる構成としたが、これに限られず、コネクタハウジング１２の外方に開口する受け入れ孔部３９は、外方に開口する溝状をなす受け入れ凹部を形成する構成としてもよい。
【０１０４】
（４）本実施形態においては、コネクタハウジング１２には仮係止部４１が設けられ、リテーナ１３の係止受け部３３と仮係止部４１とが係止することにより、リテーナ１３がコネクタハウジング１２に対して仮係止位置に保持される構成としたが、これに限られず、コネクタハウジング１２に仮係止部４１を設けない構成としてもよい。
【０１０５】
（５）本実施形態においては、治具３１にはガイドリブ４４が設けられる構成としたが、これに限られず、ガイドリブ４４は省略してもよい。また、この場合には、リテーナ１３のガイドリブ回避凹部３４も省略することができる。
【０１０６】
（６）本実施形態においては、コネクタハウジング１２には上下２段のキャビティ１４が形成される構成としたが、これに限られず、キャビティ１４は１段でもよいし、３段以上でもよい。
【０１０７】
（７）本実施形態においては、キャビティ１４内にランスが設けられない構成としたが、これに限られず、キャビティ１４内にランスが突出して設けられる構成としてもよい。これにより、ランスが端子に係止すると共に、リテーナ１３も端子に係止することにより、端子を二重係止することができる。
【０１０８】
（８）本実施形態においては、第１突部３２は金属製としたが、これに限られず、合成樹脂製、セラミック製等、必要に応じて任意の材料を適宜に選択することができる。
【符号の説明】
【０１０９】
１０：コネクタ
１１：雌端子
１２：コネクタハウジング
１３：リテーナ
１４：キャビティ
２４：リテーナ収容凹部
３０：第１当接部
３１：治具
３２：第１突部
３４：ガイドリブ回避凹部
３９：受け入れ孔部（受け入れ凹部）
４３：エンドリブ
４４：ガイドリブ
４５：ガイド溝
４６：第２突部
４７：第２突部回避凹部
４９：コネクタ収容凹部
５１：第２当接部
５３：基部
５４：傾斜部
５５：先端部
【図１】
2019091560.tif 000003
【図２】
2019091560.tif 000004
【図３】
2019091560.tif 000005
【図４】
2019091560.tif 000006
【図５】
2019091560.tif 000007
【図６】
2019091560.tif 000008
【図７】
2019091560.tif 000009
【図８】
2019091560.tif 000010
【図９】
2019091560.tif 000011
【図１０】
2019091560.tif 000012
【図１１】
2019091560.tif 000013
【図１２】
2019091560.tif 000014
【図１３】
2019091560.tif 000015
【図１４】
2019091560.tif 000016
【図１５】
2019091560.tif 000017
【図１６】
2019091560.tif 000018
【図１７】
2019091560.tif 000019
【図１８】
2019091560.tif 000020
【図１９】
2019091560.tif 000021
【図２０】
2019091560.tif 000022
【図２１】
2019091560.tif 000023
【図２２】
2019091560.tif 000024